(57)【特許請求の範囲】
【請求項１】
軒樋の底部と前部に接して支持する支持面と軒樋の前部上端に覆い被さって家屋側へ突出した耳押さえを有するブラケットが所定間隔を保って軒先に取付けられ、その上方に軒先固定部とこれに連設する水切り部を有していて、該水切り部は、前記軒先固定部より迫出し片を介して突部が垂下形成されると共に、該突部より軒先方向に弾発係止片が延設されてなる樋取付け構成体が取り付けられ、
軒樋の底部と前部が前記ブラケットの支持面で支持され、後縁耳部が前記樋取付け構成体の弾発係止片に係着して軒樋が軒先に取り付けられることを特徴とする軒樋の取付け構造。
【発明の詳細な説明】
【０００１】
【発明の属する技術分野】
本発明は樋取付け構成体を用いた軒樋の取付け構造に係り、特に、樋を収納する軒先構造において、水切りと軒樋を係止する機能を兼備し、且つ、軒樋の取付けを簡単に行なうことが出来る樋取付け構成体を使用したものに関するものである。
【０００２】
【従来技術とその課題】
従来、軒樋の取付け施工に当っては、針金を用いて取付け金具に軒樋を括りつけたり、或いは、受け金具や吊り金具等の取付け金具のみを用いて固定したり、これら取付け金具とブラケットとを併用する等の方法により取付けが行なわれていた。
【０００３】
しかしながら、上記前者の取付け方法によれば、作業が煩わしく手間取るので施工効率が落ちると共に、取付け後の仕上り外観が好ましいものではないと云う問題があった。
また、上記後者の取付け方法によれば、風圧等により取付け金具と軒樋や軒樋耳部との間に、ガタ付きによる異音が生じたり、金具から軒樋が逸脱し易いものが見受けられたり、或いは、取付け施工性に問題があるものが多かった。
即ち、従来は、軒樋を固定する金具と水切り機能を有する部材とが別々であったので、雨水の水切り機能と軒樋を支持乃至固定する機能とを併せ有し、且つ、取付け施工性が優れた樋取付け構成体はなかった。
【０００４】
【課題を解決するための手段】
本発明は上記課題を解決するためのものであって、その要旨は、軒樋の底部と前部に接して支持する支持面と軒樋の前部上端に覆い被さって家屋側へ突出した耳押さえを有するブラケットが所定間隔を保って軒先に取付けられ、その上方に軒先固定部とこれに連設する水切り部を有していて、該水切り部は、前記軒先固定部より迫出し片を介して突部が垂下形成されると共に、該突部より軒先方向に弾発係止片が延設されてなる樋取付け構成体が取り付けられ、
軒樋の底部と前部が前記ブラケットの支持面で支持され、後縁耳部が前記樋取付け構成体の弾発係止片に係着して軒樋が軒先に取り付けられることを特徴とする軒樋の取付け構造である。
【０００５】
【発明の実施の形態】
以下、本発明の実施例を図面に基づき具体的に説明する。
図１は、本発明の一実施例を斜視図で示し、図２は、本発明の軒先取付け状態を側断面図で示し、図３は、本発明を用いた施工手順の第一段階を側断面図で示し、図４は、本発明を用いた施工手順の第二段階を側断面図で示し、図５は、本発明を用いた施工手順の第三段階を側断面図で示す。
【０００６】
本発明で使用する樋取付け構成体１は、図１に斜視図で、また、図２に側断面図で示す如く、家屋の軒先前面板Ａに取付けて、水切りと樋耳を係止する機能を兼備した樋取付け構成体１であって、軒先固定部１１とこれに連設する水切り部１２とからなり、該水切り部１２は、上記軒先固定部１１より迫出し片１１２を介して突部１２１が垂下形成されると共に、該突部１２１より軒先方向に弾発係止片１２２が延設されていることを特徴とするものである。
【０００７】
上記樋取付け構成体１は、水切り部１２により、軒先前面板Ａへの雨水の浸入を防止すると共に、雨水を軒樋２内へ確実に案内すると云う水切り機能を具えているうえに、軒樋２の後縁耳部２２をスプリング付勢により確実に係止することが出来、更には、軒樋２の取付け施工性を格段に向上させることが出来る。
【０００８】
【実施例】
樋取付け構成体１は、図１に示す如く、釘孔１１３を穿設した軒先固定部１１の上端から前面側へ斜め下向きに鉤状の係着片１１１を突設すると共に、上記軒先固定部１１の下端から前面側へ迫出し片１１２を形成し、且つ、その先を垂下させて突部１２１を形成し、また、該突部１２１より後面側へ弾発係止片１２２を延設して、上記突部１２１から弾発係止片１２２に至る間を水切り部１２となしたものである。
【０００９】
図２に示す本発明の施工例は、屋根Ｂの軒先下端と軒天ボードＣ間の軒先前面板Ａに、樋取付け構成体１を用いて軒樋２を取付けた場合であって、軒樋２の底部と前部が軒先前面板Ａに固定されたブラケット３の支持面に接して支持されていると同時に、ブラケット３の家屋側へ突出した耳押さえ３２２が軒樋２の前部上端に覆い被さって、耳押さえ３２２の下方に軒樋２の前部上端が収まり、また、軒樋２の後縁耳部２２が樋取付け構成体１の弾発係止片１２２のスプリング付勢により押え付けられて、軒樋２がガタ付きなく確実に取付けられている。
【００１０】
以下に、本発明の施工手順について具体的に述べる。
先ず、図３に側断面図で示す如く、軒先水平（横）方向に所定間隔を保って、ブラケット３を取付けるが、該ブラケット３の固定部３１の下底部を軒天ボードＣに当接すると共に、ブラケット固定部３１の立上片３１３から軒先前面板Ａに釘３１１を打付けて、軒先前面板Ａにブラケット３を固定しておく。
【００１１】
次いで、ブラケット３の可動部３２に穿設した長孔３２１を介し、蝶ネジ３１２を用いて、ブラケット可動部３２をブラケット固定部３１の前後方向にスライド可能に蝶着したのち、ブラケット可動部３２を矢視方向の前面側へ引出して、ブラケット可動部３２の上端部と軒先前面板Ａとの間隔を広げておく。
【００１２】
そして、図４に側断面図で示す如く、上記拡開したブラケット可動部３２の上端部と軒先前面板Ａとの間から軒樋２を挿入する。
この時、軒樋２の前縁耳部２１を、ブラケット可動部３２の上端の耳押え３２２の内側に引っ掛け、ここを回転軸として軒樋２を矢視方向へ回転させつつ挿着する。
【００１３】
引続き、図５に側断面図で示す如く、ブラケット可動部３２を矢視方向の後面側へ引戻して、軒樋２の後縁耳部２２が軒先前面板Ａに当接した位置で、蝶ネジ３１２を締付けてブラケット固定部３１にブラケット可動部３２を固定する。
そして、本発明の樋取付け構成体１の弾発係止片１２２により、軒樋２の後縁耳部２２を押え付けるようにしつつ、釘孔１１３より釘１１４を用いて軒先固定部１１を軒先前面板Ａに打付け固定し、軒樋２の取付けを終る。
【００１４】
しかる後、本発明の上端に形成した鉤状の係着片１１１を屋根Ｂの下端部に係着すると共に、必要に応じて、軒先固定部１１の釘打ち固定した部位をコーキング防水処理を行なう。
そして、ブラケット３の前面から軒天ボードＣの前端に亘りフロントパネル４を取付けて、軒樋２やブラケット３等の前面を覆うことにより化粧仕上げをして、本発明を用いた軒樋２の取付け施工を完了する。
【００１５】
上記本発明は、水切り部１２により雨水の軒先前面板Ａへの浸入を防止し、突部１２１により雨水を軒樋２へ導入する水切り機能を有すると共に、弾発係止片１２２のスプリング付勢により、軒樋２の後縁耳部２２を弾発的に押え付けて、ガタ付きなく確実に軒樋２を取付けることが出来ると云う優れた機能を併有するものである。
【００１６】
また、本発明を用いることにより、施工時には軒先横方向への軒樋２のスライド調節が可能であるために、ドレン等の竪落し口の位置決めがやり易くなると共に、ブラケット３への軒樋２の取付け工事が終ってから、本発明の樋取付け構成体を取付けることによって水切り工事が出来るので、施工性が格段に向上すると云う作用効果が得られる。
【００１７】
【発明の効果】
本発明は上記構成よりなるので下記効果を奏する。
即ち、本発明は、それ自体が軒樋と接触して水切り機能を有するので、軒先前面への雨水の浸入を防止出来ると共に、軒樋の後縁耳部をスプリング付勢により確実に係着することが出来、また、軒樋の取付け施工性を格段に向上させることが出来ると云う作用効果を奏するものである。
【図面の簡単な説明】
【図１】本発明の一実施例を斜視図で示す。
【図２】本発明の軒先取付け状態を側断面図で示す。
【図３】本発明を用いた施工手順の第一段階を側断面図で示す。
【図４】本発明を用いた施工手順の第二段階を側断面図で示す。
【図５】本発明を用いた施工手順の第三段階を側断面図で示す。
【符号の説明】
１      樋取付け構成体
１１    軒先固定部
１１１  係着片
１１２  迫出し片
１１３  釘孔
１１４  釘
１２    水切り部
１２１  突部
１２２  弾発係止片
２      軒樋
２１    前縁耳部
２２    後縁耳部
３      ブラケット
３１    ブラケット固定部
３１１  釘
３１２  蝶ネジ
３１３  立上片
３２    ブラケット可動部
３２１  長孔
３２２  耳押え
４      フロントパネル
Ａ      軒先前面板
Ｂ      屋根
Ｃ      軒天ボード
【図１】
0003756644.tif 000002
【図２】
0003756644.tif 000003
【図３】
0003756644.tif 000004
【図４】
0003756644.tif 000005
【図５】
0003756644.tif 000006